(57)【要約】【課題】内部に替え芯を収納しつつも、低背化を実現できるペンホルダーを提供する。【解決手段】本発明によるペンホルダーは、電子ペンのペン先を挿入可能に構成された開口３ａを有し、該開口３ａに挿入された電子ペンを起立状態に支持する筐体と、この筐体の内部に設けられ、それぞれ起立状態の電子ペンの長手方向とは異なる方向に電子ペン用の替え芯ＳＬを把持する少なくとも１つの替え芯把持部２５とを備える。これにより、替え芯把持部２５が起立状態の電子ペンの長手方向とは異なる方向に替え芯ＳＬを把持するので、起立状態の電子ペンと同じ方向に替え芯ＳＬを収納する場合に比べ、筐体の低背化を実現することが可能となる。【選択図】図７
2018092298.tif 000002
【特許請求の範囲】
【請求項１】
棒状に形成された芯を有し、該芯が交換可能に構成された電子ペンをホールドするためのペンホルダーであって、
前記電子ペンを起立又は載置状態でホールドするホールド部を有する筐体と、
前記筐体の内部に設けられ、前記起立状態で前記電子ペンをホールドしたときにおける該電子ペンの長手方向とは異なる方向に前記電子ペン用の替え芯を把持する少なくとも１つの替え芯把持部と
を備えるペンホルダー。
【請求項２】
前記ホールド部は、前記電子ペンのペン先を挿入して該電子ペンを起立状態でホールドするための開口を含み、
前記少なくとも１つの替え芯把持部はそれぞれ、前記起立状態の前記電子ペンの長手方向から見て斜めの方向に前記替え芯を把持する
請求項１に記載のペンホルダー。
【請求項３】
前記筐体は、少なくとも上面側に前記ホールド部が形成された蓋部を有し、
前記少なくとも１つの替え芯把持部はそれぞれ、前記蓋部の下面側に配置される
請求項１又は２に記載のペンホルダー。
【請求項４】
前記筐体は、前記蓋部と、該蓋部が脱着可能に取り付けられる本体部とからなり、
前記蓋部は、前記筐体の外表面を構成する外殻部と、該外殻部の前記本体部側の表面を覆うカバー部とを有し、
前記少なくとも１つの替え芯把持部はそれぞれ、前記カバー部に設けられた貫通部を含む
請求項３に記載のペンホルダー。
【請求項５】
前記少なくとも１つの替え芯把持部はそれぞれ、前記カバー部に設けられた溝部をさらに含み、
前記貫通部は、対応する前記溝部の一端に設けられる
請求項４に記載のペンホルダー。
【請求項６】
前記開口は、平面的に見て前記筐体の中央に設けられ、
前記溝部は、平面的に見て前記開口から前記蓋部の外側に向かう方向に延在するように形成される
請求項５に記載のペンホルダー。
【請求項７】
前記貫通部は、対応する前記溝部の前記開口寄りの一端に設けられる
請求項６に記載のペンホルダー。
【請求項８】
前記カバー部は、前記開口を中心とするすり鉢の形状に構成されたテーパー部を有し、
前記溝部は、前記テーパー部に設けられる
請求項７に記載のペンホルダー。
【請求項９】
前記貫通部は、前記溝部の前記開口寄りの一端から前記溝部の延伸方向に形成され、
前記貫通部を円筒の一部とみなした場合の円筒軸は、前記突起部の頂面と平行である
請求項８に記載のペンホルダー。
【請求項１０】
前記外殻部は、前記突起部の頂面から連続する内表面を有する凹部をさらに有する
請求項９に記載のペンホルダー。
【請求項１１】
前記テーパー部と前記蓋部の外縁部との間に設けられる平坦部をさらに有し、
前記溝部の他端は、前記平坦部に開口する
請求項８乃至１０のいずれか一項に記載のペンホルダー。
【請求項１２】
前記外殻部は、前記溝部に沿って延在する突起部を有し、
前記突起部の頂面は、前記溝部の底面を構成する
請求項５乃至１１のいずれか一項に記載のペンホルダー。
【請求項１３】
複数の前記替え芯把持部を備え、
前記複数の替え芯把持部は、平面的に見て前記開口を取り囲むように配置される
請求項１又は２に記載のペンホルダー。
【請求項１４】
前記複数の替え芯把持部はそれぞれ、前記替え芯を収納可能に構成された溝部を有し、
前記複数の替え芯把持部それぞれの前記溝部は、平面的に見て前記開口を中心とする放射状に配置される
請求項１３に記載のペンホルダー。
【請求項１５】
前記筐体は、本体部と、前記本体部に対して脱着可能に構成され、かつ、前記開口が形成される蓋部とを有し、
前記蓋部は、前記開口を中心とするすり鉢の形状に構成されたテーパー部を有し、
前記複数の替え芯把持部それぞれの前記溝部は、前記テーパー部に設けられる
請求項１４に記載のペンホルダー。
【請求項１６】
前記少なくとも１つの替え芯把持部はそれぞれ、前記ペンホルダーを水平面に載置した場合に前記替え芯の長手方向が水平方向に平行となるように、前記替え芯を把持する
請求項１に記載のペンホルダー。
【請求項１７】
前記筐体は、少なくとも上面側に前記ホールド部が形成された蓋部を有し、
前記蓋部は、前記筐体の外表面を構成する外殻部と、該外殻部の前記本体部側の表面を覆うカバー部とを有し、
前記カバー部には、該カバー部の外縁に沿って下向きに立設された外縁部と、該カバー部の中央部分から下向きに突出する突出部とを有し、
前記外縁部には、複数の第１の切り欠きが形成され、
前記突出部には、前記複数の第１の切り欠きと一対一に対応する複数の第２の切り欠きが形成され、
前記複数の替え芯把持部はそれぞれ、対応する１組の前記第１及び第２の切り欠きによって構成される
請求項１６に記載のペンホルダー。
【発明の詳細な説明】
【技術分野】
【０００１】
本発明はペンホルダーに関し、特に、替え芯を収納可能に構成されたペンホルダーに関する。
【背景技術】
【０００２】
近年、デジタイザやタブレット等の位置検出装置に字や図形を書き込むための電子ペンが注目されている。電子ペンは細長い形状を有する小型の電子機器で、一般に、鉛筆やボールペンなどの従来型の筆記具と同じように手に持った状態で使用される。
【０００３】
ところで、電子ペンには、小型であるが故に放置するとなくしてしまいやすいという難がある。そこで近年、電子ペン専用のペン立て（ペンホルダー）が販売されるようになっている。特許文献１には、その一例が開示されている。
【０００４】
特許文献１に記載のペンホルダーは、内部に替え芯を収納可能に構成される。具体的には、上部筐体及び下部筐体を有して構成されており、替え芯は、上部筐体の上面に鉛直に立った状態で収納される。上部筐体と下部筐体とを結合した状態では替え芯は筐体の中に収納され、ペンホルダーを逆さにしてもこぼれ落ちなくなる。
【０００５】
特許文献２には、熱変色性筆記具を収容する熱変色性筆記具セットに関する発明が開示されている。この発明による熱変色性筆記具セットは本体と上蓋を有し、本体内に横向きに熱変色性筆記具が収納されている。
【先行技術文献】
【特許文献】
【０００６】
【特許文献１】意匠登録第１３７２７４７号公報
【特許文献２】特開２０１５−０５１２４２号公報
【発明の概要】
【発明が解決しようとする課題】
【０００７】
特許文献１に記載のペンホルダーには、内部に替え芯を収納しなければならないために全高が高くなっており、ペンホルダーとして使用していないときに机の引き出しの中などに収納しておくことが困難という問題があった。
【０００８】
したがって、本発明の目的の一つは、内部に替え芯を収納しつつも、低背化を実現できるペンホルダーを提供することにある。
【課題を解決するための手段】
【０００９】
上記目的を達成するための本発明によるペンホルダーは、棒状に形成された芯を有し、該芯が交換可能に構成された電子ペンをホールドするためのペンホルダーであって、前記電子ペンを起立又は載置状態でホールドするホールド部を有する筐体と、前記筐体の内部に設けられ、前記起立状態で前記電子ペンをホールドしたときにおける該電子ペンの長手方向とは異なる方向に前記電子ペン用の替え芯を把持する少なくとも１つの替え芯把持部とを備える。
【００１０】
本発明によれば、替え芯把持部が起立状態の電子ペンの長手方向とは異なる方向に替え芯を把持するので、特許文献１に記載のペンホルダーのように起立状態の電子ペンと同じ方向に替え芯を収納する場合に比べ、筐体の低背化を実現することが可能となる。
【００１１】
上記ペンホルダーにおいて、前記ホールド部は、前記電子ペンのペン先を挿入して該電子ペンを起立状態でホールドするための開口を含み、前記少なくとも１つの替え芯把持部はそれぞれ、前記起立状態の前記電子ペンの長手方向から見て斜めの方向に前記替え芯を把持することとしてもよい。これによれば、替え芯を水平に把持する場合に比べ、筐体の水平方向の幅を小さくすることが容易になる。
【００１２】
上記各ペンホルダーにおいて、前記筐体は、少なくとも上面側に前記ホールド部が形成された蓋部を有し、前記少なくとも１つの替え芯把持部はそれぞれ、前記蓋部の下面側に配置されることとしてもよい。これによれば、ユーザは、蓋部を持ち上げ、自身の手元に近いところで替え芯の脱着を行うことが可能になる。
【００１３】
上記ペンホルダーにおいて、前記蓋部は、前記筐体の外表面を構成する外殻部と、該外殻部の前記本体部側の表面を覆うカバー部とを有し、前記少なくとも１つの替え芯把持部はそれぞれ、前記カバー部に設けられた貫通部を含むこととしてもよい。これによれば、替え芯把持部は、貫通部に挿入された替え芯の一端をカバー部と外殻部とで挟み込むことによって、替え芯を把持することが可能になる。
【００１４】
上記ペンホルダーにおいて、前記少なくとも１つの替え芯把持部はそれぞれ、前記カバー部に設けられた溝部をさらに含み、前記貫通部は、対応する前記溝部の一端に設けられることとしてもよい。これによれば、溝部がガイドの役割を果たすので、替え芯把持部への替え芯の格納が容易になる。
【００１５】
上記各ペンホルダーにおいて、前記開口は、平面的に見て前記筐体の中央に設けられ、前記溝部は、平面的に見て前記開口から前記蓋部の外側に向かう方向に延在するように形成されることとしてもよい。これによれば、溝部が放射状に配置されることになるので、ユーザによる替え芯の脱着が容易になる。
【００１６】
上記ペンホルダーにおいて、前記貫通部は、対応する前記溝部の前記開口寄りの一端に設けられることとしてもよい。これによれば、蓋部の外縁部を通って替え芯の脱着が可能になるので、ユーザによる替え芯の脱着がさらに容易になる。
【００１７】
上記ペンホルダーにおいて、前記カバー部は、前記開口を中心とするすり鉢の形状に構成されたテーパー部を有し、前記溝部は、前記テーパー部に設けられることとしてもよい。これによれば、斜め方向に替え芯を出し入れすることが可能になるので、ユーザによる替え芯の脱着がさらに容易になる。
【００１８】
上記ペンホルダーにおいて、前記貫通部は、前記溝部の前記開口寄りの一端から前記溝部の延伸方向に形成され、前記貫通部を円筒の一部とみなした場合の円筒軸は、前記突起部の頂面と平行であることとしてもよい。これによれば、貫通部に挿入された替え芯の一端をカバー部と外殻部とで挟み込むことが可能になる。
【００１９】
上記ペンホルダーにおいて、前記外殻部は、前記突起部の頂面から連続する内表面を有する凹部をさらに有することとしてもよい。これによれば、貫通部内における替え芯とカバー部の接触面積をより大きくすることが可能になる。
【００２０】
上記各ペンホルダーにおいて、前記テーパー部と前記蓋部の外縁部との間に設けられる平坦部をさらに有し、前記溝部の他端は、前記平坦部に開口することとしてもよい。これによれば、替え芯の端部を容易につかめるようになるので、ユーザによる替え芯の脱着がさらに容易になる。
【００２１】
上記各ペンホルダーにおいて、前記外殻部は、前記溝部に沿って延在する突起部を有し、前記突起部の頂面は、前記溝部の底面を構成することとしてもよい。これによれば、溝部の深さを一定にすることが可能になる。
【００２２】
上記各ペンホルダーにおいて、複数の前記替え芯把持部を備え、前記複数の替え芯把持部は、平面的に見て前記開口を取り囲むように配置されることとしてもよい。これによれば、開口の周囲に複数の替え芯把持部を配置することが可能になる。
【００２３】
上記ペンホルダーにおいて、前記複数の替え芯把持部はそれぞれ、前記替え芯を収納可能に構成された溝部を有し、前記複数の替え芯把持部それぞれの前記溝部は、平面的に見て前記開口を中心とする放射状に配置されることとしてもよい。これによれば、ユーザによる替え芯の脱着が容易になる。
【００２４】
上記ペンホルダーにおいて、前記筐体は、本体部と、前記本体部に対して脱着可能に構成され、かつ、前記開口が形成される蓋部とを有し、前記蓋部は、前記開口を中心とするすり鉢の形状に構成されたテーパー部を有し、前記複数の替え芯把持部それぞれの前記溝部は、前記テーパー部に設けられることとしてもよい。これによれば、斜め方向に替え芯を出し入れすることが可能になるので、ユーザによる替え芯の脱着がさらに容易になる。
【００２５】
上記ペンホルダーにおいて、前記少なくとも１つの替え芯把持部はそれぞれ、前記ペンホルダーを水平面に載置した場合に前記替え芯の長手方向が水平方向に平行となるように、前記替え芯を把持することとしてもよい。これによれば、垂直方向に替え芯を収納する場合に比べ、筐体の低背化を実現することが可能となる。
【００２６】
上記ペンホルダーにおいて、前記筐体は、少なくとも上面側に前記ホールド部が形成された蓋部を有し、前記蓋部は、前記筐体の外表面を構成する外殻部と、該外殻部の前記本体部側の表面を覆うカバー部とを有し、前記カバー部には、該カバー部の外縁に沿って下向きに立設された外縁部と、該カバー部の中央部分から下向きに突出する突出部とを有し、
前記外縁部には、複数の第１の切り欠きが形成され、前記突出部には、前記複数の第１の切り欠きと一対一に対応する複数の第２の切り欠きが形成され、前記複数の替え芯把持部はそれぞれ、対応する１組の前記第１及び第２の切り欠きによって構成されることとしてもよい。これによれば、第１及び第２の切り欠きがガイドの役割を果たすので、替え芯把持部への替え芯の格納が容易になる。
【発明の効果】
【００２７】
本発明によれば、替え芯把持部が起立状態の電子ペンの長手方向とは異なる方向に替え芯を把持するので、特許文献１に記載のペンホルダーのように起立状態の電子ペンと同じ方向に替え芯を収納する場合に比べ、筐体の低背化を実現することが可能となる。
【図面の簡単な説明】
【００２８】
【図１】本発明の実施の形態によるペンホルダー１の使用状態を示す斜視図である。
【図２】（ａ）はペンホルダー１の上面図であり、（ｂ）はペンホルダー１の下面図であり、（ｃ）は、（ａ）の下側から見たペンホルダー１の側面図であり、（ｄ）は、（ａ）の右側から見たペンホルダー１の側面図である。
【図３】（ａ）は、本体部４から取り外した状態の蓋部３を下側から見た場合の斜視図であり、（ｂ）は、蓋部３から取り外した状態の本体部４の斜視図である。
【図４】（ａ）は、蓋部３を構成する外殻部１０を下側から見た場合の斜視図であり、（ｂ）は、蓋部３を構成するカバー部２０を上側から見た場合の斜視図である。
【図５】（ａ）は、図２（ａ）のＢ−Ｂ線に対応するペンホルダー１の断面図であり、（ｂ）は、図２（ａ）のＣ−Ｃ線に対応するペンホルダー１の断面図である。
【図６】図５（ｂ）に示した領域Ｄの拡大図である。
【図７】電子ペンＰ用の替え芯ＳＬを装着した状態の蓋部３を下側から見た場合の斜視図である。
【図８】（ａ）は、本発明の実施の形態の変形例によるペンホルダー１ａの分解斜視図であり、（ｂ）は、ペンホルダー１ａの蓋部３の斜視図（電子ペンＰ用の替え芯ＳＬを装着した状態）である。
【発明を実施するための形態】
【００２９】
以下、添付図面を参照しながら、本発明の実施の形態について詳細に説明する。
【００３０】
図１は、本発明の実施の形態によるペンホルダー１の使用状態を示す斜視図である。同図に示すように、ペンホルダー１は、本体部４と、この本体部４に対して脱着可能に構成された蓋部３とからなる筐体２を備えて構成される。蓋部３は、厚み方向に扁平する半球の形状を有しており、その上面には、電子ペンをホールドするホールド部としての開口３ａ及び凹部３ｂが形成される。
【００３１】
ペンホルダー１は、通常、図１に示すように、本体部４が下側となり蓋部３が上側となるように水平面に設置された状態で使用される。この通常の使用状態で、矢印Ａで示す方向に電子ペンＰを移動することによって開口３ａ内に電子ペンＰのペン先が挿入されると、ペンホルダー１は、開口３ａに連通する後述の貫通部１３ａ，４ａ（図５（ｂ）参照）の内側面によって電子ペンＰを支持する。これにより、電子ペンＰは起立状態となる。
【００３２】
また、ペンホルダー１は、起立状態だけでなく横向きの状態（載置状態）でも電子ペンＰを支持可能に構成される。そのための構造が、凹部３ｂである。凹部３ｂは、後述する図２（ａ）に示すように、蓋部３の上面中央に設けられた楕円形の凹部である。凹部３ｂの底面は電子ペンＰの側面形状に適合する曲面の形状とされており、それによって、凹部３ｂには電子ペンＰを横向きに載置可能となっている。なお、開口３ａは凹部３ｂの中央に設けられる。
【００３３】
電子ペンＰのペン先は、図示した替え芯ＳＬによって構成され、取り替え可能とされている。替え芯ＳＬは、図１に示すように、棒状部材ＳＬａの一方端部にペン先部ＳＬｂが形成された構成を有している。ペン先部ＳＬｂは、半球形状を有しており、電子ペンＰのペン先として機能する。電子ペンＰへの替え芯ＳＬの装着は、電子ペンＰの先端に棒状部材ＳＬａを他方端部から挿入することによって行う。また、替え芯ＳＬの電子ペンＰからの取り外しは、専用工具又はピンセット等により電子ペンＰの先端に露出しているペン先部ＳＬｂを把持し、替え芯ＳＬを引き抜くことによって行う。図１には示していないが、ペンホルダー１は内部に複数の替え芯ＳＬを格納できるように構成されており、本発明は、この格納を実現するためのペンホルダー１の構成に主たる特徴を有する。以下、ペンホルダー１の構成について、図２〜図７を参照しながら詳細に説明する。なお、以下の説明で「上」「下」という場合、特に断らない限り、図１に示した通常の使用状態での「上」「下」を意味する。
【００３４】
図２（ａ）はペンホルダー１の上面図であり、図２（ｂ）はペンホルダー１の下面図である。また、図２（ｃ）は、図２（ａ）の下側から見たペンホルダー１の側面図であり、図２（ｄ）は、図２（ａ）の右側から見たペンホルダー１の側面図である。なお、図示していないが、図２（ａ）の上側から見たペンホルダー１の側面図は図２（ｃ）と同様であり、図２（ａ）の左側から見たペンホルダー１の側面図は図２（ｄ）と同様である。図３（ａ）は、本体部４から取り外した状態の蓋部３を下側から見た場合の斜視図であり、図３（ｂ）は、蓋部３を取り外した状態の本体部４の斜視図である。図４（ａ）は、蓋部３を構成する外殻部１０を下側から見た場合の斜視図であり、図４（ｂ）は、蓋部３を構成するカバー部２０を上側から見た場合の斜視図である。図５（ａ）は、図２（ａ）のＡ−Ａ線に対応するペンホルダー１の断面図であり、図５（ｂ）は、図２（ａ）のＢ−Ｂ線に対応するペンホルダー１の断面図である。図６は、図５（ｂ）に示した領域Ｄの拡大図である。図７は、替え芯ＳＬを装着した状態の蓋部３を下側から見た場合の斜視図である。
【００３５】
初めに図３（ａ）を参照すると、蓋部３は、筐体２の外表面を構成する外殻部１０と、外殻部１０の下面（本体部４側の表面）を覆うカバー部２０とを有して構成される。
【００３６】
外殻部１０は、軽いが容易に変形しない材料、例えば、硬質プラスチック等で形成された部材である。外殻部１０は、図４（ａ）に示すように、上述した厚み方向に扁平する半球形状を構成する曲面部１１と、曲面部１１の外縁に沿って下向きに立設された外縁部１２と、曲面部１１の中央部に設けられた突出部１３と、突出部１３の周囲に設けられた複数の突起部１４とを有して構成される。
【００３７】
曲面部１１は、上述の半球形状を扁平させて形成した蓋部３の内壁部分である。曲面部１１は、図４（ａ）に示すように、中心部分から外縁部１２へ向かってテーパー状に形成される。
【００３８】
外縁部１２は、内側の表面にねじ山を有して構成される。このねじ山は、後述する本体部４の外縁部４１の外側表面に設けられるねじ山と螺合するもので、この螺合により、蓋部３は、本体部４と脱着可能に構成される。
【００３９】
突出部１３は、曲面部１１の中心部分から下向きに突出しており、内部に貫通部１３ａを有して構成される。貫通部１３ａは、図５（ｂ）に示すように、上端（図５（ｂ）では下端となる）から下端にかけて次第に直径が小さくなる逆錐台形状に形成された貫通孔によって構成される。上述した開口３ａは、貫通部１３ａの上端により構成される。貫通部１３ａが逆錐台形状であることに伴い、図４（ａ）及び図５（ｂ）に示すように、突出部１３も逆錐台形状を有している。突出部１３の高さは、図５（ｂ）に示すように、突出部１３の頂面が本体部４と接触しない程度の高さに設定される。
【００４０】
複数の突起部１４は、図４（ａ）に示すように、平面的に見て、突出部１３（すなわち、開口３ａ）を取り囲むように配置される。より具体的に言えば、各突起部１４は、下側から見て突出部１３から外殻部１０へ向かう方向に延在するように形成されており、突出部１３を中心とする放射状に一定の間隔で配置される。各突起部１４の突出量は、突出部１３に最も近い位置では曲面部１１と同じ高さであり、そこから外殻部１０の外側に向かうに従って一定の割合で増加する。つまり、図６に示す各突起部１４の頂面１４ａは、突出部１３に近づくほど曲面部１１に近づく斜面を構成している。
【００４１】
曲面部１１には、図４（ａ）に示すように、複数の突起部１４と一対一に対応する複数の凹部１１ａが形成される。各凹部１１ａは、対応する突起部１４の突出部１３側の端部近傍に配置される。凹部１１ａの内表面は、図６に示すように、突起部１４の頂面１４ａから連続する斜面１１ａａと、この斜面１１ａａと直交する斜面１１ａｂとを含んで構成される。
【００４２】
次に、カバー部２０は、エラストマーなどの弾性を有する材料で形成された部材であり、図３（ａ）に示すように、その下面（図３（ａ）では上面となる）に第１の平坦部２１、テーパー部２２、第２の平坦部２３、突出部２４、及び複数の替え芯把持部２５を有して構成される。カバー部２０の上面は、図４（ｂ）に示すように外殻部１０の曲面部１１に整合する曲面形状に形成されており、例えば、外殻部１０の曲面部１１と図示しない接着剤により接着される。
【００４３】
図３（ａ）に示すように、突出部２４は、第２の平坦部２３から下向きに突出して形成されている。この突出部２４の内部には、図５（ｂ）に示すように、貫通部２４ａが設けられる。この貫通部２４ａは、突出部１３を通すための貫通孔であり、突出部１３の外形に整合する形状を有している。突出部２４の突出量は、突出部１３の上端が突出部２４の上端から突出する高さに設定される。
【００４４】
テーパー部２２は、突出部２４（すなわち、開口３ａ）を中心とするすり鉢の形状に構成されており、その高さは、突出部２４の高さと同じ値に設定される。したがって、第１の平坦部２１と突出部２４の下面とは同一平面を構成する。
【００４５】
複数の替え芯把持部２５は、上述した起立状態の電子ペンＰの長手方向とは異なる方向に替え芯ＳＬを把持可能に構成された機能部であり、外殻部１０の突起部１４と一対一に設けられる。具体的には、各替え芯把持部２５は、図３（ａ）に示すように、第２の平坦部２３を貫通する貫通部２６と、テーパー部２２に設けられ、一端が貫通部２６に連通し、他端が第１の平坦部２１に開口する溝部２７とを有して構成される。替え芯把持部２５の構造の詳細については、後ほどまとめて説明する。
【００４６】
次に、本体部４は、図２（ｂ）及び図３（ｂ）に示すように、円盤状の基底部４０と、基底部４０の外縁に沿って上向きに立設された外縁部４１と、基底部４０の下面に形成された弾性部４２とを有して構成される。基底部４０及び外縁部４１は、外殻部１０やカバー部２０の材料に比して比重の大きい金属材料で形成される。これは、電子ペンＰの重さによって筐体２が転倒することを防止するためである。一方、弾性部４２は、ゴムなどの弾性部材によって形成される。弾性部４２は滑り止めとしての役割を担う部材であり、図２（ｂ）に示すように、以下で説明する貫通部４ａを中心とするドーナツの形状で形成される。
【００４７】
基底部４０の中央部には、貫通部４ａが形成されている。図５（ｂ）に示すように、貫通部４ａの上半分（図５（ｂ）では下半分となる）は上端から下端にかけて一定の直径を有する円筒形状に形成され、下半分は上端から下端にかけて次第に直径が小さくなる逆円錐台形に形成される。貫通部４ａは、図５（ｂ）に示すように貫通部１３ａと中心軸を共有しており、開口３ａから挿入された電子ペンＰのペン先は、貫通部１３ａを通って、貫通部４ａの下半分の逆円錐台形部分に嵌合する。
【００４８】
外縁部４１は、外側の表面にねじ山を有して構成される。このねじ山は、外殻部１０の外縁部１２の内側表面に設けられるねじ山と螺合するもので、上述したように、蓋部３を本体部４と脱着可能に構成する役割を果たす。
【００４９】
以上が、ペンホルダー１の構成の全体的な概要である。続いて、替え芯把持部２５の構造について、詳しく説明する。
【００５０】
各替え芯把持部２５の溝部２７は、図３（ａ）に示すように、平面的に見て突出部２４（すなわち、開口３ａ）を取り囲むように配置される。より具体的に言えば、各溝部２７は、平面的に見て突出部２４からカバー部２０の外側に向かう方向に延在するように形成されており、突出部２４を中心とする放射状に一定の間隔で配置される。この配置は外殻部１０の各突起部１４の配置と同じであり、各突起部１４は、対応する溝部２７に沿って延在している。
【００５１】
各溝部２７は、図４（ｂ）に示すように、テーパー部２２を貫通するように形成されており、その内部には、図５（ａ）に示すように、対応する突起部１４が嵌め込まれている。各突起部１４の曲面部１１からの突出高さの具体的な値は、突起部１４が溝部２７内に嵌め込まれた場合に、この嵌め込んだ突起部１４の頂面からテーパー部２２の表面までの距離（すなわち、突起部１４の頂面を底面とみなした場合の溝部２７の深さ）が溝部２７の全長にわたって一定値となるように設定される。また、各溝部２７の幅は、替え芯ＳＬの棒状部材ＳＬａの直径よりもわずかに大きい値に設定される。
【００５２】
各替え芯把持部２５の貫通部２６は、対応する溝部２７の突出部２４（すなわち、開口３ａ）寄りの一端からカバー部２０を斜めに貫くように形成された貫通孔である。図６に示すように、貫通部２６を円筒の一部とみなした場合、この円筒の軸は、対応する突起部１４の頂面１４ａ及び斜面１１ａａと平行となっている。また、この円筒の直径は、棒状部材ＳＬａの直径よりもわずかに大きい値に設定される。
【００５３】
ここで、替え芯把持部２５内への替え芯ＳＬの収納方法について、図７を参照して説明する。替え芯把持部２５内に替え芯ＳＬを収納しようとするユーザは、図７に示すように、替え芯ＳＬのペン先部ＳＬｂを持ち、図７の矢印方向Ｄに沿って、溝部２７の他端（第１の平坦部２１に開口する端部）から溝部２７内に棒状部材ＳＬａを滑り込ませる。そして、貫通部２６内を経由して、凹部１１ａまで棒状部材ＳＬａの他方端部（ペン先部ＳＬｂと反対側の端部）を移動させ、最終的に、図６に示した凹部１１ａ内の斜面１１ａｂに当接させる。このとき、替え芯ＳＬの長手方向は、起立状態の電子ペンＰの長手方向（垂直方向）から見て斜めの方向と平行になっている。したがって、長手方向が垂直方向と平行になっている状態で替え芯ＳＬを格納する場合に比べて筐体２の低背化が実現され、また、長手方向が水平方向と平行になっている状態で替え芯ＳＬを格納する場合に比べて筐体２の水平方向の幅の低減が可能となっている。
【００５４】
また、替え芯把持部２５内に格納された替え芯ＳＬのうち貫通部２６及び凹部１１ａ内にある部分は、カバー部２０と外殻部１０とによって挟み込まれ、一定の力で把持された状態となる。この力の主な成分は、替え芯ＳＬとカバー部２０との間の摩擦力であり、特にカバー部２０が下側となるように蓋部３を設置した場合に効力を有する。替え芯ＳＬが自身の重みによってカバー部２０と接触するからである。したがって、仮にカバー部２０を下側にした状態で蓋部３が持ち上げられたとしても、替え芯ＳＬが滑り落ちることがなくなり、替え芯把持部２５内に把持された状態が維持される。つまり、替え芯把持部２５の構造によれば、替え芯ＳＬの脱落が防止されている。
【００５５】
以上説明したように、本実施の形態によるペンホルダー１によれば、替え芯把持部２５が起立状態の電子ペンＰの長手方向（垂直方向）とは異なる方向に替え芯ＳＬを把持するので、特許文献１に記載のペンホルダーのように起立状態の電子ペンと同じ方向に替え芯ＳＬを収納する場合に比べ、筐体２の低背化を実現することが可能となる。
【００５６】
また、本実施の形態によるペンホルダー１によれば、起立状態の電子ペンＰの長手方向から見て斜めの方向に替え芯ＳＬが把持されるので、水平方向に替え芯ＳＬを把持する場合に比べ、筐体２の水平方向の幅を小さくすることが容易になる。
【００５７】
さらに、本実施の形態によるペンホルダー１によれば、替え芯把持部２５が本体部４ではなく蓋部３の下面側に配置されるので、ユーザは、蓋部３を本体部４から外して持ち上げ、自身の手元に近いところで替え芯ＳＬの脱着を行うことが可能になる。なお、このように蓋部３の下面側に替え芯把持部２５を配置する場合、蓋部３から替え芯ＳＬが滑り落ちてしまうおそれが生ずるが、本実施の形態によるペンホルダー１によれば、替え芯把持部２５の構造によって替え芯ＳＬが把持されるので、替え芯ＳＬの滑り落ちが防止される。
【００５８】
具体的には、溝部２７の開口３ａ寄りの一端からカバー部２０を斜めに貫き、かつ、貫通部２６を円筒の一部とみなした場合の円筒軸が突起部１４の頂面１４ａと平行となるように貫通部２６を形成しているので、貫通部２６に挿入された替え芯ＳＬの一端を、カバー部２０と外殻部１０とで挟み込み、カバー部２０と替え芯ＳＬの間の摩擦力により替え芯ＳＬを把持することが可能になる。さらに、突起部１４の頂面１４ａから連続する内表面（斜面１１ａａ）を有する凹部１１ａを外殻部１０に設けているので、貫通部２６内における替え芯ＳＬとカバー部２０の接触面積をより大きくすることが可能になる。
【００５９】
また、本実施の形態によるペンホルダー１によれば、複数の替え芯把持部２５を放射状に配置していること、各貫通部２６を対応する溝部２７の開口３ａ寄りの一端に設けていること、カバー部２０にテーパー部２２を設け、このテーパー部２２に沿って替え芯ＳＬを把持するようにしていること、及び、溝部２７の他端が第１の平坦部２１に開口していることの少なくとも１つにより、ユーザによる替え芯ＳＬの脱着が容易なものとなっている。
【００６０】
また、本実施の形態によるペンホルダー１によれば、外殻部１０に突起部１４を設け、この突起部１４の頂面１４ａにより溝部２７の底面を構成しているので、溝部２７の深さを一定にすることが可能になる。
【００６１】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００６２】
例えば、上記実施の形態では、ペンホルダー１内に複数の替え芯把持部２５を設けたが、１つだけ替え芯把持部２５を設けることとしてもよい。
【００６３】
また、上記実施の形態では、起立状態の電子ペンＰの長手方向から見て斜めの方向に替え芯ＳＬを把持することとしたが、水平方向に把持することとしても、筐体２の低背化という効果を得ることは可能である。
【００６４】
図８（ａ）は、本発明の実施の形態の変形例によるペンホルダー１ａの分解斜視図であり、図８（ｂ）は、ペンホルダー１ａの蓋部３の斜視図（電子ペンＰ用の替え芯ＳＬを装着した状態）である。ペンホルダー１ａは、替え芯ＳＬを水平方向に把持できるように、ペンホルダー１の構造を改変した例である。
【００６５】
ペンホルダー１ａとペンホルダー１の構造上の違いは、主として外縁部１２及びカバー部２０に現れている。具体的に説明すると、ペンホルダー１ａの外縁部１２は、突起部１４及び凹部１１ａを有しない点で、ペンホルダー１の外縁部１２と相違している。ペンホルダー１ａの外縁部１２のその他の形状は、ペンホルダー１の外縁部１２と同様である。また、ペンホルダー１ａのカバー部２０は、下面側に現れる形状の点で、ペンホルダー１のカバー部２０と相違している。以下、ペンホルダー１ａのカバー部２０の構造について、詳しく説明する。
【００６６】
ペンホルダー１ａのカバー部２０の下面には、平面状に形成された平坦部２８と、カバー部２０の外縁（平坦部２８の外縁）に沿って下向きに立設された外縁部２９と、カバー部２０の中央部分（平坦部２８の中央部分）から下向きに突出する突出部２４とが形成される。突出部２４には、ペンホルダー１の突出部２４と同様に貫通部２４ａが設けられるが、本変形例による貫通部２４ａは、外殻部１０の突出部１３ではなく電子ペンＰのペン先のみが通過できる小サイズの貫通孔となっている。
【００６７】
外縁部２９及び突出部２４には、それぞれ等間隔に複数の切り欠き２９ａ（第１の切り欠き）及び複数の切り欠き２４ｂ（第２の切り欠き）が設けられる。各切り欠き２９ａは、外縁部２９の下面と内側表面（突出部２４との対向面）の２方向に開口するように形成される。また、各切り欠き２４ｂは、突出部２４の下面と外側表面（外縁部２９との対向面）の２方向に開口するように形成される。
【００６８】
各切り欠き２９ａと各切り欠き２４ｂとは一対一に対応しており、対応する１組の切り欠き２９ａ，２４ｂにより、本変形例による替え芯把持部２５が構成される。替え芯ＳＴは、切り欠き２９ａ，２４ｂの一方に一端が、他方に他端がそれぞれ収納された状態で、替え芯把持部２５内に格納される。各切り欠き２９ａ，２４ｂの高さ方向の位置（平坦部２８からの距離）は、こうして替え芯把持部２５に替え芯ＳＴを格納した場合に、替え芯ＳＴの長手方向が水平方向と平行になるように設定される。
【００６９】
替え芯把持部２５を構成する１組の切り欠き２９ａ，２４ｂは、平面的に見てカバー部２０の半径方向に沿って配置される。したがって、本変形例においても、各替え芯把持部２５は放射状に配置されている。
【００７０】
以上説明したように、ペンホルダー１ａの構造によれば、替え芯ＳＬを水平方向に把持することが可能になる。その結果、垂直方向に替え芯ＳＬを収納する場合に比べ、筐体２の低背化を実現することが可能となっている。また、切り欠き２９ａ，２４ｂがガイドの役割を果たすので、替え芯把持部２５への替え芯ＳＴの格納が容易になり、さらに、各替え芯把持部２５を放射状に配置していることにより、ユーザによる替え芯ＳＬの脱着が容易なものとなっている。
【符号の説明】
【００７１】
１        ペンホルダー
２        筐体
３        蓋部
３ａ      開口
３ｂ      凹部
４        本体部
４ａ      貫通部
１０      外殻部
１１      曲面部
１１ａ    凹部
１１ａａ  凹部１１ａの斜面
１１ａｂ  凹部１１ａの斜面
１２      外縁部
１３      突出部
１３ａ    貫通部
１４      突起部
１４ａ    突起部１４の頂面
２０      カバー部
２１      第１の平坦部
２２      テーパー部
２３      第２の平坦部
２４      突出部
２４ａ    貫通部
２９ｂ    切り欠き
２５      替え芯把持部
２６      貫通部
２７      溝部
２８      平坦部
２９      外縁部
２９ａ    切り欠き
４０      基底部
４１      外縁部
４２      弾性部
Ｐ        電子ペン
ＳＬ      替え芯
ＳＬａ    棒状部材
ＳＬｂ    ペン先部
【図１】
2018092298.tif 000003
【図２】
2018092298.tif 000004
【図３】
2018092298.tif 000005
【図４】
2018092298.tif 000006
【図５】
2018092298.tif 000007
【図６】
2018092298.tif 000008
【図７】
2018092298.tif 000009
【図８】
2018092298.tif 000010
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
棒状に形成された芯を有し、該芯が交換可能に構成された電子ペンをホールドするためのペンホルダーであって、
前記電子ペンを起立又は載置状態でホールドするホールド部を有する筐体と、
前記筐体の内部に設けられ、前記起立状態で前記電子ペンをホールドしたときにおける該電子ペンの長手方向とは異なる方向に前記電子ペン用の替え芯を把持する少なくとも１つの替え芯把持部と
を備えるペンホルダー。
【請求項２】
前記ホールド部は、前記電子ペンのペン先を挿入して該電子ペンを起立状態でホールドするための開口を含み、
前記少なくとも１つの替え芯把持部はそれぞれ、前記起立状態の前記電子ペンの長手方向から見て斜めの方向に前記替え芯を把持する
請求項１に記載のペンホルダー。
【請求項３】
前記筐体は、少なくとも上面側に前記ホールド部が形成された蓋部を有し、
前記少なくとも１つの替え芯把持部はそれぞれ、前記蓋部の下面側に配置される
請求項１又は２に記載のペンホルダー。
【請求項４】
前記筐体は、前記蓋部と、該蓋部が脱着可能に取り付けられる本体部とからなり、
前記蓋部は、前記筐体の外表面を構成する外殻部と、該外殻部の前記本体部側の表面を覆うカバー部とを有し、
前記少なくとも１つの替え芯把持部はそれぞれ、前記カバー部に設けられた貫通部を含む
請求項３に記載のペンホルダー。
【請求項５】
前記少なくとも１つの替え芯把持部はそれぞれ、前記カバー部に設けられた溝部をさらに含み、
前記貫通部は、対応する前記溝部の一端に設けられる
請求項４に記載のペンホルダー。
【請求項６】
前記ホールド部は、前記電子ペンのペン先を挿入して該電子ペンを起立状態でホールドするための開口を含み、
前記少なくとも１つの替え芯把持部はそれぞれ、前記起立状態の前記電子ペンの長手方向から見て斜めの方向に前記替え芯を把持し、
前記筐体は、少なくとも上面側に前記ホールド部が形成された蓋部を有し、
前記少なくとも１つの替え芯把持部はそれぞれ、前記蓋部の下面側に配置され、
前記筐体は、前記蓋部と、該蓋部が脱着可能に取り付けられる本体部とからなり、
前記蓋部は、前記筐体の外表面を構成する外殻部と、該外殻部の前記本体部側の表面を覆うカバー部とを有し、
前記少なくとも１つの替え芯把持部はそれぞれ、前記カバー部に設けられた貫通部を含み、
前記少なくとも１つの替え芯把持部はそれぞれ、前記カバー部に設けられた溝部をさらに含み、
前記貫通部は、対応する前記溝部の一端に設けられ、
前記開口は、平面的に見て前記筐体の中央に設けられ、
前記溝部は、平面的に見て前記開口から前記蓋部の外側に向かう方向に延在するように形成される
請求項１に記載のペンホルダー。
【請求項７】
前記貫通部は、対応する前記溝部の前記開口寄りの一端に設けられる
請求項６に記載のペンホルダー。
【請求項８】
前記カバー部は、前記開口を中心とするすり鉢の形状に構成されたテーパー部を有し、
前記溝部は、前記テーパー部に設けられる
請求項７に記載のペンホルダー。
【請求項９】
前記外殻部は、前記溝部に沿って延在する突起部を有し、
前記突起部の頂面は、前記溝部の底面を構成し、
前記貫通部は、前記溝部の前記開口寄りの一端から前記溝部の延伸方向に形成され、
前記貫通部を円筒の一部とみなした場合の円筒軸は、前記突起部の頂面と平行である
請求項８に記載のペンホルダー。
【請求項１０】
前記外殻部は、前記突起部の頂面から連続する内表面を有する凹部をさらに有する
請求項９に記載のペンホルダー。
【請求項１１】
前記テーパー部と前記蓋部の外縁部との間に設けられる平坦部をさらに有し、
前記溝部の他端は、前記平坦部に開口する
請求項８乃至１０のいずれか一項に記載のペンホルダー。
【請求項１２】
前記外殻部は、前記溝部に沿って延在する突起部を有し、
前記突起部の頂面は、前記溝部の底面を構成する
請求項５乃至８のいずれか一項に記載のペンホルダー。
【請求項１３】
複数の前記替え芯把持部を備え、
前記複数の替え芯把持部は、平面的に見て前記開口を取り囲むように配置される
請求項２に記載のペンホルダー。
【請求項１４】
前記複数の替え芯把持部はそれぞれ、前記替え芯を収納可能に構成された溝部を有し、
前記複数の替え芯把持部それぞれの前記溝部は、平面的に見て前記開口を中心とする放射状に配置される
請求項１３に記載のペンホルダー。
【請求項１５】
前記筐体は、本体部と、前記本体部に対して脱着可能に構成され、かつ、前記開口が形成される蓋部とを有し、
前記蓋部は、前記開口を中心とするすり鉢の形状に構成されたテーパー部を有し、
前記複数の替え芯把持部それぞれの前記溝部は、前記テーパー部に設けられる
請求項１４に記載のペンホルダー。
【請求項１６】
前記少なくとも１つの替え芯把持部はそれぞれ、前記ペンホルダーを水平面に載置した場合に前記替え芯の長手方向が水平方向に平行となるように、前記替え芯を把持する
請求項１に記載のペンホルダー。
【請求項１７】
前記筐体は、少なくとも上面側に前記ホールド部が形成された蓋部と、該蓋部が脱着可能に取り付けられる本体部とを有し、
前記蓋部は、前記筐体の外表面を構成する外殻部と、該外殻部の前記本体部側の表面を覆うカバー部とを有し、
前記カバー部には、該カバー部の外縁に沿って下向きに立設された外縁部と、該カバー部の中央部分から下向きに突出する突出部とを有し、
前記外縁部には、複数の第１の切り欠きが形成され、
前記突出部には、前記複数の第１の切り欠きと一対一に対応する複数の第２の切り欠きが形成され、
前記複数の替え芯把持部はそれぞれ、対応する１組の前記第１及び第２の切り欠きによって構成される
請求項１６に記載のペンホルダー。